(57)【要約】【課題】ストッパーの規制状態から解除状態への切換時間がストッパーのおかれた環境の温度に左右され難い被記録媒体給送装置及び記録装置を提供すること。【解決手段】被記録媒体給送装置は、被記録媒体を給送する給送手段と、前記給送手段を備える装置本体に対して着脱可能な、被記録媒体を収容する下段側トレイと、前記装置本体に対して着脱可能であり、前記装置本体に装着された際に前記下段側トレイの装着位置に対して上方に位置する、被記録媒体を収容する上段側トレイと、前記下段側トレイに収容された被記録媒体先端と接して該被記録媒体の移動を規制する規制状態と、前記規制状態を解除して被記録媒体を給送経路に給送可能とする規制解除状態と、を切換可能であるとともに、前記切換を前記上段側トレイによって行うストッパーと、を備えることを特徴とする。【選択図】図５
2013170055.tif 000002
【特許請求の範囲】
【請求項１】
被記録媒体を給送する給送手段と、
前記給送手段を備える装置本体に対して着脱可能な、被記録媒体を収容する下段側トレイと、
前記装置本体に対して着脱可能であり、前記装置本体に装着された際に前記下段側トレイの装着位置に対して上方に位置する、被記録媒体を収容する上段側トレイと、
前記下段側トレイに収容された被記録媒体先端と接して該被記録媒体の移動を規制する規制状態と、前記規制状態を解除して被記録媒体を給送経路に給送可能とする規制解除状態と、を切換可能であるとともに、前記切換を前記上段側トレイによって行うストッパーと、
を備える被記録媒体給送装置。
【請求項２】
請求項１に記載の被記録媒体給送装置において、前記上段側トレイは、前記装置本体に装着された状態において、被記録媒体送り出し方向の突き当たり位置と、当該突き当たり位置から被記録媒体送り出し方向と反対側に所定量変位した退避位置と、の間をモーターの動力を受けて変位可能に設けられており、
前記ストッパーは、前記上段側トレイが前記退避位置から前記突き当たり位置に変位する過程において前記上段側トレイと直接または間接に係合し、前記規制状態から前記規制解除状態に切り換わる、
ことを特徴とする被記録媒体給送装置。
【請求項３】
請求項２に記載の被記録媒体給送装置において、前記上段側トレイを前記退避位置から前記突き当たり位置に向けて変位させ、当該突き当たり位置で停止する際の前記モーターの負荷変動を検出することにより前記上段側トレイの位置を検出する検出動作を実行可能であり、
前記ストッパーは、前記上段側トレイの位置検出動作時に前記規制状態から前記規制解除状態に切り換わる、
ことを特徴とする被記録媒体給送装置。
【請求項４】
請求項１から３のいずれか１項に記載の被記録媒体給送装置において、前記ストッパーが前記規制状態から前記規制解除状態に切り換えられた後の当該規制解除状態を保持する保持手段を備える、ことを特徴とする被記録媒体給送装置。
【請求項５】
請求項４に記載の被記録媒体給送装置において、前記保持手段は、前記下段側トレイが前記装置本体に装着された状態において前記下段側トレイと係合しており、
前記装置本体から前記下段側トレイが取り外されることにより、前記保持手段による前記規制解除状態の保持が解除されて前記ストッパーが前記規制状態に切換えられる、ことを特徴とする被記録媒体給送装置。
【請求項６】
請求項５に記載の被記録媒体給送装置において、被記録媒体先端に対して進退する方向に変位可能であるとともに被記録媒体先端に向かう方向に付勢された、前記ストッパーと係合するスライダーを備え、当該スライダーの変位動作によって前記ストッパーが前記規制状態と前記規制解除状態とを切り換える構成を備え、
前記保持手段は、
前記スライダーに嵌合し、該スライダーとともに被記録媒体先端に対して進退する方向に変位可能であるフック部材と、
前記装置本体の底面に向けて付勢されるとともに前記下段側トレイが前記装置本体に挿入されたとき、付勢力に抗して保持位置に変位するロック部材であって、前記上段側トレイに押し込まれて変位させられた前記フック部材を保持するロック部材と、
を備えて構成されている、
ことを特徴とする被記録媒体給送装置。
【請求項７】
請求項１から６のいずれか１項に記載の被記録媒体給送装置において、前記ストッパーが複数設けられている、ことを特徴とする被記録媒体給送装置。
【請求項８】
被記録媒体に記録を行う記録手段と、
被記録媒体を前記記録手段に給送する請求項１から７のいずれか１項に記載の被記録媒体給送装置と、を備えたことを特徴とする記録装置。
【発明の詳細な説明】
【技術分野】
【０００１】
本発明は、被記録媒体給送装置及びこれを備えた記録装置に関する。  
本願において、記録装置には、インクジェットプリンター、ラインプリンター、複写機、ファクシミリ等の種類が含まれるものとする。
【背景技術】
【０００２】
従来、インクジェットプリンター等の記録装置には、複数の被記録媒体を積層して支持する給紙トレイから１枚の被記録媒体を分離し、記録処理を行う記録部等へ給送する被記録媒体給送装置が設けられている。この被記録媒体給送装置には、給紙トレイの被記録媒体の載置面に対して所定角度で傾斜する分離傾斜部が設けられている。給紙トレイに積層された被記録媒体は、ピックアップローラーに当接されて分離傾斜部に向かって送り出される。このとき、複数枚が重なって送り出された被記録媒体は、その先端が分離傾斜部の傾斜面と接し、送出方向と逆方向の負荷（反力、摩擦力を含む）の作用を受ける。これにより、重なり合った被記録媒体は、分離傾斜部で分離され、最上位にある被記録媒体のみが給送経路下流側に送出される。
【０００３】
ところで、この被記録媒体給送装置では、給紙トレイに収容された被記録媒体の先端と対向する位置には、前記分離傾斜部が設けられている。このため、給紙トレイが被記録媒体給送装置本体（以下、「装置本体」という。）に勢いよく挿入されると、被記録媒体が慣性力によりトレイ内から挿入方向へ移動して分離傾斜部の傾斜面に乗り上げることがある。このため、この被記録媒体給送装置では、複数枚の被記録媒体を１枚ずつ分離することができず、被記録媒体を重送する虞がある。また、給紙トレイをゆっくりと装置本体に取り付けたとしても、少なからず被記録媒体が分離傾斜部の傾斜面に乗り上げることが生ずる。
【０００４】
このような問題を解決するための技術が検討されており、例えば、特許文献１では、装置本体の被記録媒体先端と対向する位置にストッパーが設けられている。このストッパーは、給紙トレイを装置本体に挿入したときに被記録媒体が給紙トレイの挿入方向に移動するのを規制する規制状態と、給紙トレイが挿入された後一定時間後に規制状態を解除して被記録媒体を給送経路に送ることのできる給送可能状態とを変位可能に構成されている。
【先行技術文献】
【特許文献】
【０００５】
【特許文献１】特開２０１１−１３２０２９号公報
【発明の概要】
【発明が解決しようとする課題】
【０００６】
しかし、このストッパーでは、該ストッパーを規制状態から規制解除状態へ一定時間後に変位させる機構に粘性材料（グリース等）を使用し、その粘性材料の粘度によりストッパーの変位を遅動させている。このため、被記録媒体給送装置が置かれた環境の温度によって粘性材料の粘度が変化すると、ストッパーの規制状態から給送可能状態への変位時間が前記温度によって変化する。具体的には、このストッパーは、高温環境にあるとき、粘性材料の粘度が低いことから給紙トレイ挿入後すぐに規制状態から給送可能状態に変位し、被記録媒体先端を十分に規制することができない。このため、この被記録媒体給送装置では、被記録媒体の重送が生ずる虞がある。また、このストッパーは、低温環境にあるとき、粘性材料の粘度が高いことから規制状態から給送可能状態への変位時間が長くなる。このため、この被記録媒体給送装置では、被記録媒体の給送待ち時間が生ずるという虞がある。
【０００７】
本発明は、上記問題点に鑑みてなされたもので、ストッパーの規制状態から規制解除状態への切換時間がストッパーのおかれた環境の温度に左右され難い被記録媒体給送装置及び記録装置を提供することを目的とする。  
尚、記録装置において用紙を収容する用紙収容部の呼称としては「カセット」、「トレイ」など種々のものがあるが、本明細書では「トレイ」の用語を用いることとする。
【課題を解決するための手段】
【０００８】
上記課題を達成するため、本発明の第１の態様の被記録媒体給送装置は、被記録媒体を給送する給送手段と、前記給送手段を備える装置本体に対して着脱可能な、被記録媒体を収容する下段側トレイと、前記装置本体に対して着脱可能であり、前記装置本体に装着された際に前記下段側トレイの装着位置に対して上方に位置する、被記録媒体を収容する上段側トレイと、前記下段側トレイに収容された被記録媒体先端と接して該被記録媒体の移動を規制する規制状態と、前記規制状態を解除して被記録媒体を給送経路に給送可能とする規制解除状態と、を切換可能であるとともに、前記切換を前記上段側トレイによって行うストッパーとを備えることを特徴とする。
【０００９】
本態様によれば、ストッパーの規制状態と規制解除状態とを上段側のトレイにより切り換えることから、ストッパーの切換えを下段側トレイの挿入に対して遅動させる必要が無く、ストッパーの切換手段に粘性材料を必要としない。このため、このストッパーでは、ストッパーの規制状態から規制解除状態への切換時間をストッパーのおかれた環境の温度に左右され難くすることができる。
【００１０】
本発明の第２の態様は、第１の態様において、前記上段側トレイは、前記装置本体に装着された状態において、被記録媒体送り出し方向の突き当たり位置と、当該突き当たり位置から被記録媒体送り出し方向と反対側に所定量変位した退避位置と、の間をモーターの動力を受けて変位可能に設けられており、前記ストッパーは、前記上段側トレイが前記退避位置から前記突き当たり位置に変位する過程において前記上段側トレイと直接または間接に係合し、前記規制状態から前記規制解除状態に切り換わることを特徴とする。
【００１１】
本態様によれば、第１の態様と同様の作用効果に加え、上段側トレイを変位させるモーターの駆動力によりストッパーの規制状態と規制解除状態とを切り換えることから、ストッパーの状態切換を行う為の専用の駆動力（モーター）を必要とせず、給送装置の小型化を図ることができるとともにコストを削減することができる。
【００１２】
本発明の第３の態様は、第２の態様において、前記上段側トレイを前記退避位置から前記突き当たり位置に向けて変位させ、当該突き当たり位置で停止する際の前記モーターの負荷変動を検出することにより前記上段側トレイの位置を検出する検出動作を実行可能であり、前記ストッパーは、前記上段側トレイの位置検出動作時に前記規制状態から前記規制解除状態に切り換わることを特徴とする。
【００１３】
本態様によれば、第２の態様と同様の作用効果に加え、上段側トレイの位置検出動作の実行に併せてストッパーを規制状態から規制解除状態に切り換えることから、ストッパーの切換動作を別途行う必要がなく、下段側トレイ及び上段側トレイを給送装置に取り付けてから給送可能となるまでの給送待ち時間を短縮することができる。
【００１４】
本発明の第４の態様は、第１から第３のいずれか一の態様において、前記ストッパーが前記規制状態から前記規制解除状態に切り換えられた後の当該規制解除状態を保持する保持手段を備えることを特徴とする。  
本態様によれば、第１から第３のいずれか一の態様と同様の作用効果に加え、保持手段によりストッパーが規制解除状態に保持されることから、下段側トレイに収容された被記録媒体の給送を安定して行うことができる。
【００１５】
本発明の第５の態様は、第４の態様において、前記保持手段は、前記下段側トレイが前記装置本体に装着された状態において前記下段側トレイと係合しており、前記装置本体から前記下段側トレイが取り外されることにより、前記保持手段による前記規制解除状態の保持が解除されて前記規制状態に切換えられることを特徴とする。
【００１６】
本態様によれば、第４の態様と同様の作用効果に加え、下段側トレイが取り外された際にはストッパーが規制解除状態から規制状態に変位することから、下段側トレイを改めて取り付けるとき、ストッパーは常に規制状態にあり、被記録媒体の移動を規制することができる。
【００１７】
本発明の第６の態様は、第５の態様において、前記ストッパーと係合するスライダーであって、被記録媒体先端に対して進退する方向に変位可能であるとともに被記録媒体先端に向かう方向に付勢されたスライダーを備え、当該スライダーの変位動作によって前記ストッパーが前記規制状態と前記規制解除状態とを切り換える構成を備え、前記保持手段は、前記スライダーに嵌合し、該スライダーとともに被記録媒体先端に対して進退する方向に変位可能であるフック部材と、前記装置本体の底面に向けて付勢されるとともに前記下段側トレイが前記装置本体に挿入されたとき、付勢力に抗して保持位置に変位するロック部材であって、前記上段側トレイに押し込まれて変位させられた前記フック部材を保持するロック部材とを備えて構成されていることを特徴とする。
【００１８】
本態様によれば、第５の態様と同様の作用効果に加え、前記保持手段を、構造簡単にして低コストに構成することができる。
【００１９】
本発明の第７の態様は、第１から第６のいずれか一の態様において、前記ストッパーが複数設けられていることを特徴とする。  
本態様によれば、第１から第６のいずれか一の態様と同様の作用効果に加え、下段側トレイを勢いよく給送装置に挿入しても被記録媒体の先端が複数のストッパーと接触することから、被記録媒体の移動を複数のストッパーにより確実に規制することができる。
【００２０】
本発明の第８の態様は、被記録媒体に記録を行う記録手段と、被記録媒体を前記記録手段に給送する第１から第７のいずれか一の態様に記載の被記録媒体給送装置とを備えたことを特徴とする。
【図面の簡単な説明】
【００２１】
【図１】本発明に係るプリンターにおいて上段側トレイが退避位置にあるときの側断面図。
【図２】本発明に係るプリンターにおいて上段側トレイが突き当たり位置にあるときの側断面図。
【図３】第１の実施例の下段側トレイにおける用紙先端側を示す斜視図。
【図４】第１の実施例の上段側トレイにおける用紙先端側を示す斜視図。
【図５】第１の実施例におけるストッパーの構造を示す斜視図。
【図６】第１の実施例におけるストッパーとカムスライダーの関係を示す側面図。
【図７】（Ａ）は、ストッパーの規制状態を示す側面図、（Ｂ）はストッパーが被記録媒体を規制している状態の側面図、（Ｃ）はストッパーが上段側トレイにより規制状態から解除状態に切り換えられた状態を示す側面図。
【図８】（Ａ）はストッパーが上段側トレイにより規制状態から解除状態に切り換えられる際の状態を示す斜視図、（Ｂ）はストッパーの解除状態を示す側面図、（Ｃ）はストッパーが解除状態から規制状態へ切り換えられる直前の状態を示す側面図。
【発明を実施するための形態】
【００２２】
以下、本発明の実施の形態を図面に基づいて説明する。尚、各実施例において同一の構成については、同一の符号を付し、最初の実施例においてのみ説明し、以後の実施例においてはその構成の説明を省略する。
【００２３】
図１は「記録装置」の一実施形態であるインクジェットプリンター（以下「プリンター」という）１０において上段側トレイが退避位置にあるときの側断面図であり、図２はプリンター１０において上段側トレイが突き当たり位置にあるときの側断面図であり、図３は第１の実施例の下段側トレイにおける用紙先端側を示す斜視図であり、図４は第１の実施例の上段側トレイにおける用紙先端側を示す斜視図であり、図５は第１の実施例におけるストッパーの構造を示す斜視図である。
【００２４】
また、図６は第１の実施例におけるストッパーとカムスライダーの関係を示す側面図であり、図７（Ａ）はストッパーの規制状態を示す側面図であり、図７（Ｂ）はストッパーが被記録媒体を規制している状態の側面図であり、図７（Ｃ）はストッパーが上段側トレイにより規制状態から解除状態に切り換えられた状態を示す側面図であり、図８（Ａ）はストッパーが上段側トレイにより規制状態から解除状態に切り換えられる際の状態を示す斜視図であり、図８（Ｂ）はストッパーの解除状態を示す側面図であり、図８（Ｃ）はストッパーが解除状態から規制状態へ切り換えられる直前の状態を示す側面図である。
【００２５】
尚、図１及び図２はプリンター１０の用紙搬送経路上に配置されるローラーを図示するために、ほぼ全てのローラーを同一面上に描いているが、その奥行き方向（図１及び図２の紙面表裏方向）の位置は必ずしも一致しているとは限らない（一致している場合もある。）。また、各図において示すＸ−Ｙ−Ｚ座標系はＸ方向が用紙搬送（給送）方向と直交する方向すなわち用紙幅方向、Ｙ方向が用紙搬送（給送方向）方向、Ｚ方向が装置高さ方向すなわち重力方向を示している。
【００２６】
以下、図１及び図２を参照しつつプリンター１０の全体構成について概説する。プリンター１０は、装置底部に被記録媒体給送装置（以下「給送装置」という。）１２を備え、当該被記録媒体給送装置から、「被記録媒体」の一例としての用紙（主として単票紙：以下「用紙Ｐ」という。）を１枚ずつ給送し、記録手段１４において記録（インクジェット記録）を行い、装置前方側（図１及び図２、−Ｙ方向）に設けられた排紙スタッカー１６へ向けて排出する構成を備えている。
【００２７】
以下、用紙搬送経路上の構成要素についてさらに詳説する。給送装置１２は、下段側トレイ５０と、その上側に位置する上段側トレイ６０と、ストッパー機構１８と、ピックアップローラー２０と、第１分離手段２２と、を備えている。複数枚の用紙Ｐを積層状態でセット可能な用紙収容部としての下段側トレイ５０及び上段側トレイ６０は、給送装置１２の装置本体１２ａに対しそれぞれ装置前方側から装着及び取り外し可能に構成されている。また、上段側トレイ６０は、図示しないモーターにより用紙搬送方向（図１及び図２、Ｙ軸方向）に駆動され、突き当たり位置すなわち給送可能位置（図２参照）と突き当たり位置から用紙搬送方向と反対側に所定量変位した退避位置（図１参照）との間を移動可能に構成されている。
【００２８】
尚、図１及び図２においては、下段側トレイ５０に収容される用紙を符号Ｐ１で、上段側トレイ６０に収容される用紙を符号Ｐ２で、それぞれ示している（以下特に区別する必要がない場合は「用紙Ｐ」という）。これら下段側トレイ５０及び上段側トレイ６０の詳細については、後に説明する。
【００２９】
ストッパー機構１８は、給送装置１２の装置本体１２ａにおいて下段側トレイ５０に収容された用紙Ｐ１の先端と対向する位置に設けられている。ストッパー機構１８は、規制状態（図１参照）と規制解除状態（図２参照）とを上段側トレイ６０の移動動作により切換可能に構成されている。ストッパー機構１８は規制状態にあるとき、用紙Ｐ１の先端と接し用紙Ｐ１の移動を規制し、規制解除状態にあるとき、用紙Ｐ１の給送経路への移動を可能とする。ストッパー機構１８は、下段側トレイ５０及び上段側トレイ６０のいずれもが未装着状態であるときは、規制状態を保持している。
【００３０】
下段側トレイ５０及び上段側トレイ６０が装着された状態で、ユーザーが用紙Ｐ１またはＰ２への記録命令を指示したとき、プリンター１０は、上段側トレイ６０を図示しない駆動モーターの駆動力により前記退避位置から前記突き当たり位置へ移動させ、前記突き当たり位置での駆動モーターの負荷変動を検出して上段側トレイ６０の位置検出動作を行う。これにより、上段側トレイ６０の装着の有無と、上段側トレイ６０の位置を検出できる。即ち、前記駆動モーターを所定量以上駆動しても駆動電流が所定以上増加しない場合には、上段側トレイ６０が未装着であると判定できる。また駆動電流が所定以上増加した場合には、上段側トレイ６０が突き当たり位置にあると判定できる。
【００３１】
そしてストッパー８０が規制状態のときに上段側トレイ６０が突き当たり位置に変位すると、ストッパー機構１８は上段側トレイ６０と係合して規制状態から規制解除状態に切り換わる。そして、記録命令が用紙Ｐ１への命令であるとき、上段側トレイ６０は、再度退避位置に退避し、下段側トレイ５０に収容された用紙Ｐ１が給送可能状態となる。また、記録命令が用紙Ｐ２への命令であるとき、上段側トレイ６０は突き当たり位置で保持され、上段側トレイ６０に収容された用紙Ｐ２が給送可能状態となる。
【００３２】
ピックアップローラー２０は、図示しないモーターによって回転駆動され、揺動軸２４を中心に揺動する揺動部材２６に設けられている。ピックアップローラー２０は、上段側トレイ６０が最も退避方向（図１及び図２、−Ｙ方向）にスライドした状態すなわち退避位置（図１参照）にあるとともにストッパー機構１８が規制解除状態にあるとき、下段側トレイ５０に収容された用紙Ｐ１の最上位のものと接して回転することにより、当該最上位の用紙Ｐ１を下段側トレイ５０から給送経路へ送り出す。また、ピックアップローラー２０は、上段側トレイ６０が最も装置奥方（用紙送出し方向：図１及び図２、＋Ｙ方向）にスライドした突き当たり位置すなわち給送可能位置（図２参照）では、上段側トレイ６０に収容された用紙Ｐ２の最上位のものと接して回転することにより、当該最上位の用紙Ｐ２を上段側トレイ６０から給送経路へ送り出す。
【００３３】
給送装置１２の装置本体１２ａには、下段側トレイ５０にセットされた用紙Ｐ１の先端と対向する位置、あるいは上段側トレイ６０にセットされた用紙Ｐ２の先端と対向する位置に第１分離手段２２が設けられている。第１分離手段２２は、下段側トレイ５０または上段側トレイ６０からピックアップローラー２０の回転により繰り出された用紙Ｐの先端と接し、用紙Ｐが第１分離手段２２と接した状態で給送経路下流側へと搬送されることにより、最上位の用紙Ｐと次位以降の用紙Ｐとの分離を行う。
【００３４】
第１分離手段２２の給送経路下流側には、分離ローラー２８と図示しないモーターにより駆動される駆動ローラー３０とを備えて構成された、用紙Ｐの分離を行う第２分離手段３２が設けられている。また、第２分離手段３２の給送経路下流側には、駆動ローラー３０との間で用紙Ｐを挟持して従動回転する従動ローラー３４が設けられている。さらに、従動ローラー３４の給送経路下流側には、図示しないモーターにより駆動される搬送駆動ローラー３６と、該搬送駆動ローラーに圧接して従動回転する搬送従動ローラー３８とを備える搬送手段４０が設けられている。この搬送手段４０により、用紙Ｐがさらに下流側へと送られる。
【００３５】
搬送手段４０の下流側には、記録手段１４が設けられている。記録手段１４は、記録ヘッド４２と、該記録ヘッドと対向する下部案内部材４４とを備えている。記録ヘッド４２は、キャリッジ４６の底部に設けられ、用紙Ｐと対向する。キャリッジ４６は、図示しない駆動モーターによって主走査方向（図１の紙面表裏方向すなわちＸ軸方向）に往復動する様に駆動される。
【００３６】
下部案内部材４４は、用紙Ｐを支持し、用紙Ｐと記録ヘッド４２との距離を規定する。そして下部案内部材４４の下流側には、記録の行われた用紙Ｐを排出する排出手段４８が設けられている。排出手段４８は、図示しないモーターによって駆動される排出駆動ローラー５２と、当該排出駆動ローラーに接して従動回転する排出従動ローラー５４とを備えている。記録手段１４により記録の行われた用紙Ｐは、排出手段４８に狭持され、装置前方側に設けられた排紙スタッカー１６へ排出される。尚、排紙スタッカー１６は、装置前方側に引出可能に構成されている。
【００３７】
また、プリンター１０において用紙Ｐの両面に記録を行う場合には、記録手段１４によって用紙Ｐの第１面に記録が行われた後、用紙Ｐは搬送手段４０及び排出手段４８の逆送り動作により前記第１面に記録が実行された際に用紙後端となっていた側が先端となって搬送手段４０の上流側に戻される。さらに用紙Ｐは、搬送手段４０の逆戻り動作により反転経路５６へと送られる。反転経路５６内に送られた用紙Ｐは、駆動ローラー３０と反転ローラー５８とにより挟持され、再度給送経路に戻される。
【００３８】
給送経路に戻された用紙Ｐは、分離ローラー２８及び従動ローラー３４を経て駆動ローラー３０により給送経路下流側の搬送手段４０へと再度送られる。このとき、用紙Ｐの第１面と第２面とは湾曲反転させられ、該第２面が記録ヘッド４２と対向する。用紙Ｐは、搬送手段４０により記録手段１４へ送られる。記録手段１４により前記第２面の記録が行われた用紙Ｐは、排出手段４８に狭持され、装置前方側に設けられた排紙スタッカー１６へ排出される。
【００３９】
以上がプリンター１０の概要であり、以下図３及び図４を参照しながら第１分離手段２２、下段側トレイ５０及び上段側トレイ６０について説明する。下段側トレイ５０及び上段側トレイ６０は、いずれも用紙収容部を構成し、符号５０ａ、６０ａはそれぞれトレイ底面を示している。
【００４０】
第１分離手段２２は、用紙給送経路に沿って延びるとともにその長さが異なる第１分離傾斜面６２と第２分離傾斜面６４とを有している。第２分離傾斜面６４の終端は、上段側トレイ６０の下側に位置している。すなわち、第２分離傾斜面６４は、上段側トレイ６０に収容された用紙Ｐ２の先端とは対向しない。このため、下段側トレイ５０に収容された用紙Ｐ１を給送するとき、第１分離傾斜面６２及び第２分離傾斜面６４は、用紙Ｐ１の先端と接し、用紙Ｐ１の分離を行う。
【００４１】
また、上段側トレイ６０に収容された用紙Ｐ２を給送するとき、第１の分離傾斜面６２は、用紙Ｐ２の先端と接し、用紙Ｐ２の分離を行う。したがって、第１分離手段２２は、用紙先端と接する分離傾斜面の数を変更することにより下段側トレイ５０に収容された用紙Ｐ１または上段側トレイ６０に収容された用紙Ｐ２に併せて分離条件を変更することができ、それぞれの用紙Ｐ１、Ｐ２に併せた最適分離条件とすることができる。
【００４２】
下段側トレイ５０には、トレイ底面５０ａのＸ軸方向すなわち用紙幅方向の両端にトレイ底面５０ａからＺ軸方向に突出する一対の側壁５０ｂ、５０ｃが設けられている。また、トレイ底面５０ａのＹ方向先端には、詳しくは後述するが前記先端からＹ方向に突出する先端係合部５０ｄ（図７、図８参照）が設けられている。さらに、トレイ底面５０ａには、Ｘ軸方向すなわち用紙幅方向にスライド可能なエッジガイド６６，６６が設けられている。エッジガイド６６，６６は、用紙Ｐ１の用紙幅方向の位置を規制する。また、トレイ底面５０ａには、Ｙ軸方向すなわち用紙長さ方向（用紙給送方向）にスライド可能なエッジガイド６８（図１及び図２参照）を備えている。このエッジガイド６８は、用紙Ｐ１の用紙後端の位置を規制する。
【００４３】
また、トレイ底面５０ａには、ピックアップローラー２０と用紙Ｐ１との接触位置に対応する場所に高摩擦材７０が配置されている。高摩擦材７０は、ピックアップローラー２０による用紙送出し時に用紙束ごと給送経路下流側に送られないように前記用紙束を保持する。
【００４４】
上段側トレイ６０は、プリンター１０の装置本体１２ａに対して退避位置（図１参照）と突き当たり位置（図２参照）との間をスライド可能に設けられ、そのスライド方向はＹ軸方向（用紙給送方向）となっている。上段側トレイ６０のトレイ底面６０ａには、Ｙ軸方向に沿って延びるラック７２が設けられている。ラック７２は、プリンター１０に設けられたモーター（図示せず）により回転駆動されるピニオンギヤ（図示せず）と噛み合い、上段側トレイ６０をＹ軸方向に沿って前記突き当たり位置に前進させ、または前記退避位置に後退させる。
【００４５】
また、トレイ底面６０ａのＹ方向先端には、詳しくは後述するが前記先端からＹ方向に突出する先端係合部６０ｄ（図４、図７及び図８参照）が設けられている。さらに、トレイ底面６０ａには、Ｘ軸方向すなわち用紙幅方向にスライド可能なエッジガイド７４，７４が設けられている。エッジガイド７４，７４は、用紙Ｐ２の用紙幅方向の位置を規制する。また、トレイ底面６０ａには、Ｙ軸方向すなわち用紙長さ方向（用紙給送方向）にスライド可能なエッジガイド７６（図１及び図２参照）を備えている。このエッジガイド７６は、用紙Ｐ２の用紙後端の位置を規制する。
【００４６】
さらに、トレイ底面６０ａには、ピックアップローラー２０と用紙Ｐ２との接触位置に対する場所に高摩擦材７８が配置されている。高摩擦材７８は、ピックアップローラー２０による用紙送出し時に用紙束ごと給送経路下流側に送られないように前記用紙束を保持する。
【００４７】
■■■第１の実施例■■■■■  
以上が第１分離手段２２、下段側トレイ５０及び上段側トレイ６０の概要であり、以下図３及び図４に加えて図５、図６（Ａ）及び図６（Ｂ）を参照しながらストッパー機構１８について説明する。ストッパー機構１８は、給送装置１２の装置本体１２ａにおいて下段側トレイ５０に収容された用紙Ｐ１の先端と対向する位置に設けられている。ストッパー機構１８は、下段側トレイ５０が挿入されたとき、下段側トレイに収容された用紙Ｐ１の先端と接して該用紙の用紙給送方向（Ｙ方向）への移動及び第１分離傾斜面６２及び第２分離傾斜面６４への用紙Ｐ１の乗り上げを規制する規制状態（図１参照）と、用紙Ｐ１を第１分離傾斜面６２及び第２分離傾斜面６４を介して給送経路に給送可能とする規制解除状態（図２参照）とを切換可能である。
【００４８】
図５に示すようにストッパー機構１８は、ストッパー８０と、「スライダー」としてのカムスライダー８２と、「フック部材」としてのカムスライダーフック８４と、「ロック部材」としてのカムスライダーロック８６と、付勢手段としてのコイルばね８８，９０と、ねじりばね９２とを備えて構成されている。ストッパー８０の下端には、Ｘ軸方向に延在するストッパー回転軸９４が設けられている。ストッパー回転軸９４は、図６（Ａ）及び図６（Ｂ）に示すように装置本体１２ａの底面９６に設けられたフック状の装置本体係合部９８に嵌合されている。ストッパー回転軸９４の上方には、用紙Ｐ１の移動を規制するための規制部１００が設けられている。規制部１００には、用紙Ｐ１の先端と接する規制面１０２が形成され、さらに規制面１０２のＸ軸方向における両側からＹ方向に向けて延びる一対の側壁１０４が設けられている。一対の側壁１０４には、該側壁からＸ軸方向に突出し、互いに対向する係合ピン１０６が設けられている。
【００４９】
カムスライダー８２は、本体部１０８と、その本体部１０８からＺ方向に突出する係合部１１０と、本体部１０８からＸ方向に突出してＸ方向に延びるフック取付部１１２とを備えている。カムスライダー８２は、装置本体１２ａの底面９６に設けられたフック状の装置本体係合部９８の後方すなわち装置本体１２ａの背面１１４側に配置され、Ｙ軸方向に沿ってスライド可能である。また、本体部１０８の背面１０８ａと装置本体１２ａの背面１１４との間にコイルばね８８が配置され、コイルばね８８の一端は本体部１０８の背面１０８ａに固定され、コイルばね８８の他端は装置本体１２ａの背面１１４に固定されている。さらにコイルばね８８は、カムスライダー８２を装置本体係合部９８すなわち−Ｙ方向へ向けて常時付勢している。
【００５０】
係合部１１０には、Ｘ軸方向に貫通するとともに、−Ｙ方向側に開口端を有する所定幅のスリット状の係合空間１１６が−Ｙ方向に向けて下がり勾配となるように斜め状に設けられている。この係合空間１１６には、ストッパー８０の係合ピン１０６が係合する。また、フック取付部１１２には、その先端にＹ方向に延びるフック嵌合軸１１８が設けられている。フック取付部１１２には、フック嵌合軸１１８と本体部１０８との間にＹ方向に突出するばね支持部１２０が設けられている。
【００５１】
カムスライダーフック８４は、フック嵌合軸１１８と嵌合する嵌合部１２２と、嵌合部１２２からＸ方向すなわちフック取付部１１２と反対側に延び、その先端に−Ｚ方向に突出するフック１２４が形成されたフック部１２６と、フック部１２６からＺ方向に突出する上段側トレイ係合部１２８とを備えている。さらにカムスライダーフック８４には、嵌合部１２２とフック部１２６との間にＹ方向に突出するばね支持部１３０が設けられている。
【００５２】
カムスライダーフック８４の嵌合部１２２は、カムスライダー８２のフック嵌合軸１１８に回転可能に嵌合されている。さらにフック嵌合軸１１８には、ねじりばね９２が嵌合され、嵌合部１２２のＹ方向への移動を規制している。ねじりばね９２の一端１３２は、カムスライダー８２のばね支持部１２０と係合し、ねじりばね９２の他端１３４はカムスライダーフック８４のばね支持部１３０と係合している。このため、カムスライダーフック８４のフック部１２６にＺ方向へ向けて力が作用したとき、カムスライダーフック８４は、フック嵌合軸１１８を回転中心としてフック部１２６がＺ方向へ変位するように回転する。フック部１２６に掛かっていた前記力が作用しなくなったとき、フック部１２６は、ねじりばね９２の弾性力により回転前の位置に復帰する。
【００５３】
また、カムスライダーフック８４は、上段側トレイ係合部１２８がコイルばね８８の付勢力より大きい力でＹ方向に向けて押されたとき（具体的には、上段側トレイ６０によって上段側トレイ係合部１２８が押されたとき）、カムスライダー８２をコイルばね８８の付勢力に抗してＹ方向へ変位させる。上段側トレイ係合部１２８を押していた前記力が上段側トレイ係合部１２８に作用しなくなったとき、カムスライダーフック８４は、カムスライダー８２とともにカムスライダー８２を付勢するコイルばね８８の付勢力により−Ｙ方向に変位させられる。
【００５４】
カムスライダーロック８６は、その上面にＺ方向に突出するフック１３６と、その下面に下段側トレイ係合部１３８とを備えている。また、カムスライダーロック８６は、一端が装置本体１２ａに固定されたコイルばね９０により常時−Ｚ方向に付勢され、装置本体１２ａの底面９６に押し付けられている（図７（Ａ）参照）。カムスライダーロック８６は、下段側トレイ係合部１３８がコイルばね９０より大きい力でＺ方向に向けて押されたとき（具体的には、下段側トレイ５０によって下段側トレイ係合部１３８が押されたとき）、Ｚ方向に変位する。このとき、フック１３６は、Ｚ方向におけるカムスライダーフック８４のフック１２４と係合可能な状態となる（フック１３６の係合位置）。
【００５５】
このため、カムスライダーフック８４がＹ方向に押されると、カムスライダーフック８４のフック１２４は、カムスライダーフック８４の僅かな回動を介して、係合位置にあるカムスライダーロック８６のフック１３６を乗り越えた後、図７（Ｂ）から図７（Ｃ）への変化に示す様にフック１３６と係合し、カムスライダーフック８４及びカムスライダー８２をＹ方向において保持する。
【００５６】
また、下段側トレイ係合部１３８をＺ方向へ押していた前記力がなくなったとき、カムスライダーロック８６は、カムスライダーロック８６を−Ｚ方向に付勢するコイルばね９０の付勢力により−Ｚ方向に変位させられる（図８（Ｂ）から図８（Ｃ）への変化）。このため、カムスライダーロック８６のフック１３６は、−Ｚ方向に変位し、カムスライダーフック８４のフック１２４との係合を解消する。これにより、カムスライダーフック８４及びカムスライダー８２のＹ方向における保持が解除され、カムスライダーフック８４及びカムスライダー８２は、コイルばね８８の付勢力により−Ｙ方向に変位する。
【００５７】
図６（Ａ）及び図６（Ｂ）を参照して、ストッパー８０の規制状態と規制解除状態について説明する。図６（Ａ）において、カムスライダー８２と、係合空間１１６及び係合ピン１０６を介してカムスライダー８２に係合するストッパー８０とは、装置本体係合部９８すなわち−Ｙ方向に向けてコイルばね８８により付勢されている。このとき、ストッパー８０は、規制部１００が装置本体１２ａの底面９６に対して直立し、その規制面１０２が下段側トレイ５０の用紙Ｐ１の先端と対向した状態となっている。このため、規制面１０２は、用紙Ｐ１の先端と接し、そのＹ方向への移動を規制することができる。
【００５８】
カムスライダーフック８４の上段側トレイ係合部１２８（図５参照）が上段側トレイ６０によってＹ方向へ押されたとき、カムスライダー８２及びストッパー８０は、コイルばね８８の付勢力に抗してＹ方向へ変位する。このとき、ストッパー８０は、ストッパー回転軸９４を中心に回転し、係合ピン１０６が係合空間１１６内を移動し、規制面１０２をＹ方向側へ倒すように動作する。これにより規制面１０２は、図６（Ｂ）に示す様に用紙Ｐ１先端への規制を解除する。また、図６（Ｂ）において規制解除状態にある規制面１０２は、第１の分離手段２２の第１分離傾斜面６２及び第２分離傾斜面６４よりもＹ方向側に変位しており、用紙Ｐ１の給送の妨げにはならない。さらに、ストッパー８０とカムスライダー８２とのカム動作によりストッパー８０の規制状態から規制解除状態への切換えを行うことから、ストッパー８０の切換時間は、ストッパー機構１８のおかれた環境の温度に左右され難い。
【００５９】
ここで、図７（Ａ）、図７（Ｂ）、図７（Ｃ）、図８（Ａ）、図８（Ｂ）及び図８（Ｃ）を参照して、ストッパー機構１８の規制状態から規制解除状態、そして再度規制状態となるまでを説明する。図７（Ａ）において、ストッパー機構１８は、規制状態にある。図７（Ｂ）において、下段側トレイ５０が装置本体１２ａに挿入され、下段側トレイ５０の先端係合部５０ｄがカムスライダーロック８６をＺ方向において係合解除位置Ｚ１から係合位置Ｚ２へ変位させる。このとき、カムスライダーロック８６のフック１３６は、Ｚ方向におけるカムスライダーフック８４のフック１２４との係合位置Ｚ２にある。
【００６０】
また、ストッパー８０は、カムスライダー８２がコイルばね８８に−Ｙ方向に付勢されて規制位置Ｙ１にあることから、規制状態を保っている。そして規制面１０２は、下段側トレイ５０に収容された用紙Ｐ１の先端と接し、その移動を規制している。
【００６１】
この状態でユーザーがプリンター１０に設けられた操作部（図示せず）に下段側トレイ５０に収容された用紙Ｐ１または上段側トレイに収容された用紙Ｐ２に対する記録命令を指示したとき、プリンター１０は、上段側トレイ６０の位置検出動作を実行させる。上段側トレイ６０は、図７（Ｂ）に示す退避位置からＹ方向へ移動する。
【００６２】
これにより、図７（Ｃ）及び図８（Ａ）に示すように上段側トレイ６０の先端係合部６０ｄがカムスライダーフック８４の上段側トレイ係合部１２８と係合する。さらに、上段側トレイ６０は、カムスライダーフック８４をカムスライダー８２とともにコイルばね８８の付勢力に抗して規制解除位置Ｙ２すなわち突き当たり位置まで押し込む。これにより、ストッパー８０が規制状態から規制解除状態に切り替えられるとともに、カムスライダーフック８４のフック１２４が係合位置Ｚ２にあるカムスライダーロック８６のフック１３６を乗り越えた後、フック１３６と係合する。このため、ストッパー機構１８は、規制解除状態を保持する。即ち、カムスライダーフック８４と、カムスライダーロック８６と、コイルばね９０と、のこれらは、ストッパー８０の規制解除状態を保持する保持手段を構成する。
【００６３】
このとき、プリンター１０は、突き当たり位置における上段側トレイ６０を駆動する駆動モーターの負荷変動を検出し、上段側トレイ６０が装置本体１２ａに挿入され且つ当該上段側トレイ６０が突き当たり位置にあることを検知する。その後、上段側トレイ６０は、図８（Ｂ）に示すように退避位置に戻り、位置検出動作を終える。そして、下段側トレイ５０に収容された用紙Ｐ１は、給送可能状態となる。
【００６４】
次に、図８（Ｃ）に示すように下段側トレイ５０を装置本体１２ａから取り外したとき、下段側トレイ５０の先端係合部５０ｄがカムスライダーロック８６の下段側トレイ係合部１３８との係合を解除する。これにより、カムスライダーロック８６は、コイルばね９０により装置本体１２ａの底面９６に向けて付勢され、係合位置Ｚ２から係合解除位置Ｚ１に変位させられる。このため、カムスライダーロック８６のフック１３６は、係合解除位置Ｚ１に変位し、カムスライダーフック８４のフック１２４との係合を解除する。そして係合が解除されたカムスライダーフック８４は、カムスライダー８２及びストッパー８０とともにコイルばね８８に−Ｙ方向に付勢され規制位置Ｙ１に移動する。このとき、ストッパー８０は規制解除状態から規制状態に切り換えられる。
【００６５】
また、図７（Ａ）から図８（Ｃ）において、下段側トレイ５０が装置本体１２ａに挿入され、上段側トレイ６０が装置本体１２ａに挿入されていない場合、プリンター１０は、上段側トレイ６０を駆動するモーターを駆動させて上段側トレイ６０の位置検出動作を行っても、突き当たり位置における駆動モーターの負荷変動が検出できない為、上段側トレイ６０の未挿入を検出する。そして、プリンター１０は、プリンター１０に設けられた表示部（図示せず）に上段側トレイ６０が未挿入であることを表示し、ユーザーに上段側トレイ６０を挿入する旨の指示を前記表示部に表示する。ユーザーが上段側トレイ６０を挿入した後は、位置検出動作をやり直し、ストッパー機構１８を規制状態から規制解除状態に切り換える。
【００６６】
＜＜＜第１の実施例の変形例＞＞＞  
尚、上述した第１の実施例は、さらに以下のように変形しても良い。  
（１）上記実施例では、下段側トレイ５０と上段側トレイ６０とを別体に構成しているが、下段側トレイ５０及び上段側トレイ６０を一体化し、双方が一体となって装置本体に対して着脱可能に構成しても良い。この場合、上段側トレイ６０は下段側トレイ５０に対してスライド可能に設ける。その際、ストッパー機構１８は、下段側トレイ５０に設けても良い。
【００６７】
（２）ストッパー機構１８を装置本体１２ａに複数設けても良い。このように構成すれば、ストッパー機構１８に作用する力を分散することができ、ストッパー８０の用紙Ｐ１への規制を確実なものとすることができる。
【００６８】
（３）上段側トレイ６０の位置検出には、駆動モーターの負荷変動による検出に換えて、センサーにより上段側トレイ６０が突き当たり位置にあることを検出しても良い。  
（４）カムスライダー８２及びカムスライダーロック８６を付勢する手段は、コイルばね８８，９０に代えて、空気圧、油圧等を用いたものとしても良い。  
（５）カムスライダーフック８４及びカムスライダーロック８６をカムスライダー８２のＸ方向側に設ける構成に換えて、−Ｘ方向側に設けても良い。また、カムスライダーフック８４及びカムスライダーロック８６をカムスライダー８２の両側に設けても良い。
【００６９】
また、本実施形態では本発明に係る給送装置１２を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００７０】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００７１】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００７２】
１０  プリンター、１２  給送装置、１２ａ  装置本体、１４  記録手段、１６  排紙スタッカー、１８  ストッパー機構、２０  ピックアップローラー、２２  第１分離手段、２４  揺動軸、２６  揺動部材、２８  分離ローラー、３０  駆動ローラー、３２  第２分離手段、３４  従動ローラー、３６  搬送駆動ローラー、３８  搬送従動ローラー、４０  搬送手段、４２  記録ヘッド、４４  下部案内部材、４６  キャリッジ、４８  排出手段、５０  下段側トレイ、５０ａ，６０ａ  トレイ底面、５０ｂ，５０ｃ  側壁、５０ｄ，６０ｄ  先端係合部、５２  排出駆動ローラー、５４  排出従動ローラー、５６  反転経路、５８  反転ローラー、６０  上段側トレイ、６２  第１分離傾斜面、６４  第２分離傾斜面、６６，６８，７４，７６  エッジガイド、７０，７８  高摩擦材、７２  ラック、８０  ストッパー、８２  カムスライダー、８４  カムスライダーフック、８６  カムスライダーロック、８８，９０  コイルばね、９２  ねじりばね、９４  ストッパー回転軸、９６  装置本体の底面、９８  装置本体係合部、１００  ストッパーの規制部、１０２  規制面、１０４  側壁、１０６  係合ピン、１０８  カムスライダーの本体部、１０８ａ  背面、１１０  カムスライダーの係合部、１１２  カムスライダーのフック取付部、１１４  背面、１１６  係合空間、１１８  フック嵌合軸、１２０，１３０  ばね支持部、１２２  嵌合部、１２４，１３６  フック、１２６  フック部、１２８  上段側トレイ係合部、１３２  ねじりばねの一端、１３４  ねじりばねの他端、１３８  下段側トレイ係合部、Ｐ，Ｐ１，Ｐ２  用紙、Ｙ１  規制位置、Ｙ２  規制解除位置、Ｚ１  係合解除位置、Ｚ２  係合位置
【図１】
2013170055.tif 000003
【図２】
2013170055.tif 000004
【図３】
2013170055.tif 000005
【図４】
2013170055.tif 000006
【図５】
2013170055.tif 000007
【図６】
2013170055.tif 000008
【図７】
2013170055.tif 000009
【図８】
2013170055.tif 000010